(57)【要約】【課題】本発明は、コンテンツ提供装置、コンテンツ提供方法、コンテンツ提供方法のプログラム及びコンテンツ提供方法のプログラムを記録した記録媒体に関し、例えばハードディスク装置を用いてテレビジョン放送を記録再生するハードディスクレコーダに適用して、裏番組の盛り上がった場面を、その場で確認することができるようにする。【解決手段】本発明は、裏番組により記録する映像コンテンツの盛り上がりを検出してユーザーに通知する。【選択図】        図１
2007116567.tif 000002
【特許請求の範囲】
【請求項１】
第１の映像コンテンツを取得する第１の映像コンテンツ取得部と、
前記第１の映像コンテンツ取得部で取得される前記第１の映像コンテンツをモニタ装置に出力する映像コンテンツの出力部と、
第２の映像コンテンツを取得する第２の映像コンテンツ取得部と、
前記第２の映像コンテンツ取得部で取得した第２の映像コンテンツを記録する映像コンテンツの記録部と、
前記映像コンテンツの記録部に記録された前記第２の映像コンテンツを再生する映像コンテンツの再生部と、
前記第２の映像コンテンツ取得部で取得した前記第２の映像コンテンツより盛り上がりの場面を検出する盛り上がり検出部とを備え、
前記映像コンテンツの出力部は、
前記盛り上がり検出部の検出結果に基づいて、前記映像コンテンツの記録部で記録する前記第２の映像コンテンツの盛り上がりを前記モニタ装置を介してユーザーに通知する
ことを特徴とするコンテンツ提供装置。
【請求項２】
前記映像コンテンツの出力部は、
前記モニタ装置にメイン画面とサブ画面とを形成し、
前記メイン画面と前記サブ画面にそれぞれ前記第１及び第２の映像コンテンツを表示し、
前記第２の映像コンテンツの盛り上がりの通知が、前記第２の映像コンテンツの盛り上がりの場面で、前記第１及び第２の映像コンテンツの前記メイン画面及びサブ画面による表示の入れ換えである
ことを特徴とする請求項１に記載のコンテンツ提供装置。
【請求項３】
前記メイン画面及びサブ画面による表示の入れ換えが、一定の遷移時間だけ、前記第２の映像コンテンツの盛り上がりの場面より手前の時点での表示の入れ換えである
ことを特徴とする請求項２に記載のコンテンツ提供装置。
【請求項４】
前記映像コンテンツの出力部は、
前記モニタ装置に前記第１の映像コンテンツを表示し、前記第２の映像コンテンツの盛り上がりの場面で、前記モニタ装置の表示を前記第２の映像コンテンツに切り換えることにより、前記第２の映像コンテンツの盛り上がりを前記モニタ装置を介してユーザーに通知する
ことを特徴とする請求項１に記載のコンテンツ提供装置。
【請求項５】
ワイプにより、前記モニタ装置の表示を前記第２の映像コンテンツに切り換える
ことを特徴とする請求項４に記載のコンテンツ提供装置。
【請求項６】
前記映像コンテンツの出力部は、
親画面及び子画面により前記第１及び第２の映像コンテンツを前記モニタ装置に表示して、前記第２の映像コンテンツを前記モニタ装置の全画面の表示に切り換えることにより、前記第２の映像コンテンツの盛り上がりを前記モニタ装置を介してユーザーに通知する
ことを特徴とする請求項１に記載のコンテンツ提供装置。
【請求項７】
遷移期間により徐々に前記子画面の画角を拡大して、前記第２の映像コンテンツを前記モニタ装置の全画面の表示に切り換える
ことを特徴とする請求項６に記載のコンテンツ提供装置。
【請求項８】
前記映像コンテンツの出力部は、
子画面により前記第２の映像コンテンツを前記モニタ装置に表示することにより、前記第２の映像コンテンツの盛り上がりを前記モニタ装置を介してユーザーに通知する
ことを特徴とする請求項１に記載のコンテンツ提供装置。
【請求項９】
前記映像コンテンツの出力部は、
前記第２の映像コンテンツの音声の文字表示により、前記第２の映像コンテンツの盛り上がりを前記モニタ装置を介してユーザーに通知する
ことを特徴とする請求項１に記載のコンテンツ提供装置。
【請求項１０】
第１の映像コンテンツを取得する第１の映像コンテンツ取得ステップと、
前記第１の映像コンテンツ取得ステップで取得される前記第１の映像コンテンツをモニタ装置に出力する映像コンテンツの出力ステップと、
第２の映像コンテンツを取得する第２の映像コンテンツ取得ステップと、
前記第２の映像コンテンツ取得ステップで取得した第２の映像コンテンツを記録する映像コンテンツの記録ステップと、
前記映像コンテンツの記録ステップで記録された前記第２の映像コンテンツを再生する映像コンテンツの再生ステップと、
前記第２の映像コンテンツ取得ステップで取得した前記第２の映像コンテンツより盛り上がりの場面を検出する盛り上がり検出ステップとを備え、
前記映像コンテンツの出力ステップは、
前記盛り上がり検出ステップの検出結果に基づいて、前記映像コンテンツの記録ステップで記録する前記第２の映像コンテンツの盛り上がりを前記モニタ装置を介してユーザーに通知する
ことを特徴とするコンテンツ提供方法。
【請求項１１】
演算処理手段による実行により映像コンテンツを提供するコンテンツ提供方法のプログラムにおいて、
第１の映像コンテンツを取得する第１の映像コンテンツ取得ステップと、
前記第１の映像コンテンツ取得ステップで取得される前記第１の映像コンテンツをモニタ装置に出力する映像コンテンツの出力ステップと、
第２の映像コンテンツを取得する第２の映像コンテンツ取得ステップと、
前記第２の映像コンテンツ取得ステップで取得した第２の映像コンテンツを記録する映像コンテンツの記録ステップと、
前記映像コンテンツの記録ステップで記録された前記第２の映像コンテンツを再生する映像コンテンツの再生ステップと、
前記第２の映像コンテンツ取得ステップで取得した前記第２の映像コンテンツより盛り上がりの場面を検出する盛り上がり検出ステップとを備え、
前記映像コンテンツの出力ステップは、
前記盛り上がり検出ステップの検出結果に基づいて、前記映像コンテンツの記録ステップで記録する前記第２の映像コンテンツの盛り上がりを前記モニタ装置を介してユーザーに通知する
ことを特徴とするコンテンツ提供方法のプログラム。
【請求項１２】
演算処理手段による実行により映像コンテンツを提供するコンテンツ提供方法のプログラムを記録した記録媒体において、
第１の映像コンテンツを取得する第１の映像コンテンツ取得ステップと、
前記第１の映像コンテンツ取得ステップで取得される前記第１の映像コンテンツをモニタ装置に出力する映像コンテンツの出力ステップと、
第２の映像コンテンツを取得する第２の映像コンテンツ取得ステップと、
前記第２の映像コンテンツ取得ステップで取得した第２の映像コンテンツを記録する映像コンテンツの記録ステップと、
前記映像コンテンツの記録ステップで記録された前記第２の映像コンテンツを再生する映像コンテンツの再生ステップと、
前記第２の映像コンテンツ取得ステップで取得した前記第２の映像コンテンツより盛り上がりの場面を検出する盛り上がり検出ステップとを備え、
前記映像コンテンツの出力ステップは、
前記盛り上がり検出ステップの検出結果に基づいて、前記映像コンテンツの記録ステップで記録する前記第２の映像コンテンツの盛り上がりを前記モニタ装置を介してユーザーに通知する
ことを特徴とするコンテンツ提供方法のプログラムを記録した記録媒体。
【発明の詳細な説明】
【技術分野】
【０００１】
本発明は、コンテンツ提供装置、コンテンツ提供方法、コンテンツ提供方法のプログラム及びコンテンツ提供方法のプログラムを記録した記録媒体に関し、例えばハードディスク装置を用いてテレビジョン放送を記録再生するハードディスクレコーダに適用することができる。本発明は、裏番組により記録する映像コンテンツの盛り上がりを検出してユーザーに通知することにより、裏番組の盛り上がった場面を、その場で確認することができるようにする。
【背景技術】
【０００２】
従来、ハードディスクレコーダ等の記録再生装置では、ユーザーへの映像コンテンツの提供に種々の工夫が図られており、その工夫の１つとして自動的にチャプターを設定してテレビジョン放送による映像コンテンツを録画し、再生時、この録画時に設定したチャプターより頭出し等の操作を受け付けていた。
【０００３】
このチャプターの自動的な設定に関して、従来、音声により映像コンテンツの盛り上がりを検出し、例えばサッカー中継におけるゴールシーン等の、映像コンテンツの盛り上がった場面にチャプターを設定する方法が実用に供されている。この方法によれば、チャプターにより頭出しして映像コンテンツを再生することにより、盛り上がった場面を間違いなく視聴することができる。
【０００４】
これに対して特開２００２−３００５１８号公報には、番組の盛り上がりを検出してダイジェスト番組を自動的に作成する方法が提案されている。
【０００５】
ところでテレビジョン放送による番組を視聴していて、他に気になる番組が放送される場合がある。このような場合、従来、ユーザーは、この気になる番組をいわゆる裏番組によりビデオテープレコーダ等に別途、記録し、後日、この記録した裏番組を改めて視聴することになる。しかしながらこのように裏番組を録画している場合でも、この裏番組の盛り上がった場面について、その場で確認することができれば、便利であると考えられる。
【特許文献１】特開２００２−３００５１８号公報
【発明の開示】
【発明が解決しようとする課題】
【０００６】
本発明は以上の点を考慮してなされたもので、裏番組の盛り上がった場面を、その場で確認することができるコンテンツ提供装置、コンテンツ提供方法、コンテンツ提供方法のプログラム及びコンテンツ提供方法のプログラムを記録した記録媒体を提案しようとするものである。
【課題を解決するための手段】
【０００７】
かかる課題を解決するため請求項１の発明は、コンテンツ提供装置に適用して、第１の映像コンテンツを取得する第１の映像コンテンツ取得部と、前記第１の映像コンテンツ取得部で取得される前記第１の映像コンテンツをモニタ装置に出力する映像コンテンツの出力部と、第２の映像コンテンツを取得する第２の映像コンテンツ取得部と、前記第２の映像コンテンツ取得部で取得した第２の映像コンテンツを記録する映像コンテンツの記録部と、前記映像コンテンツの記録部に記録された前記第２の映像コンテンツを再生する映像コンテンツの再生部と、前記第２の映像コンテンツ取得部で取得した前記第２の映像コンテンツより盛り上がりの場面を検出する盛り上がり検出部とを備え、前記映像コンテンツの出力部は、前記盛り上がり検出部の検出結果に基づいて、前記映像コンテンツの記録部で記録する前記第２の映像コンテンツの盛り上がりを前記モニタ装置を介してユーザーに通知する。
【０００８】
また請求項１０の発明は、コンテンツ提供方法に適用して、第１の映像コンテンツを取得する第１の映像コンテンツ取得ステップと、前記第１の映像コンテンツ取得ステップで取得される前記第１の映像コンテンツをモニタ装置に出力する映像コンテンツの出力ステップと、第２の映像コンテンツを取得する第２の映像コンテンツ取得ステップと、前記第２の映像コンテンツ取得ステップで取得した第２の映像コンテンツを記録する映像コンテンツの記録ステップと、前記映像コンテンツの記録ステップで記録された前記第２の映像コンテンツを再生する映像コンテンツの再生ステップと、前記第２の映像コンテンツ取得ステップで取得した前記第２の映像コンテンツより盛り上がりの場面を検出する盛り上がり検出ステップとを備え、前記映像コンテンツの出力ステップは、前記盛り上がり検出ステップの検出結果に基づいて、前記映像コンテンツの記録ステップで記録する前記第２の映像コンテンツの盛り上がりを前記モニタ装置を介してユーザーに通知する。
【０００９】
また請求項１１の発明は、演算処理手段による実行により映像コンテンツを提供するコンテンツ提供方法のプログラムに適用して、第１の映像コンテンツを取得する第１の映像コンテンツ取得ステップと、前記第１の映像コンテンツ取得ステップで取得される前記第１の映像コンテンツをモニタ装置に出力する映像コンテンツの出力ステップと、第２の映像コンテンツを取得する第２の映像コンテンツ取得ステップと、前記第２の映像コンテンツ取得ステップで取得した第２の映像コンテンツを記録する映像コンテンツの記録ステップと、前記映像コンテンツの記録ステップで記録された前記第２の映像コンテンツを再生する映像コンテンツの再生ステップと、前記第２の映像コンテンツ取得ステップで取得した前記第２の映像コンテンツより盛り上がりの場面を検出する盛り上がり検出ステップとを備え、前記映像コンテンツの出力ステップは、前記盛り上がり検出ステップの検出結果に基づいて、前記映像コンテンツの記録ステップで記録する前記第２の映像コンテンツの盛り上がりを前記モニタ装置を介してユーザーに通知する。
【００１０】
また請求項１２の発明は、演算処理手段による実行により映像コンテンツを提供するコンテンツ提供方法のプログラムを記録した記録媒体に適用して、第１の映像コンテンツを取得する第１の映像コンテンツ取得ステップと、前記第１の映像コンテンツ取得ステップで取得される前記第１の映像コンテンツをモニタ装置に出力する映像コンテンツの出力ステップと、第２の映像コンテンツを取得する第２の映像コンテンツ取得ステップと、前記第２の映像コンテンツ取得ステップで取得した第２の映像コンテンツを記録する映像コンテンツの記録ステップと、前記映像コンテンツの記録ステップで記録された前記第２の映像コンテンツを再生する映像コンテンツの再生ステップと、前記第２の映像コンテンツ取得ステップで取得した前記第２の映像コンテンツより盛り上がりの場面を検出する盛り上がり検出ステップとを備え、前記映像コンテンツの出力ステップは、前記盛り上がり検出ステップの検出結果に基づいて、前記映像コンテンツの記録ステップで記録する前記第２の映像コンテンツの盛り上がりを前記モニタ装置を介してユーザーに通知する。
【００１１】
請求項１の構成により、コンテンツ提供装置に適用して、第１の映像コンテンツを取得する第１の映像コンテンツ取得部と、前記第１の映像コンテンツ取得部で取得される前記第１の映像コンテンツをモニタ装置に出力する映像コンテンツの出力部と、第２の映像コンテンツを取得する第２の映像コンテンツ取得部と、前記第２の映像コンテンツ取得部で取得した第２の映像コンテンツを記録する映像コンテンツの記録部と、前記映像コンテンツの記録部に記録された前記第２の映像コンテンツを再生する映像コンテンツの再生部と、前記第２の映像コンテンツ取得部で取得した前記第２の映像コンテンツより盛り上がりの場面を検出する盛り上がり検出部とを備え、前記映像コンテンツの出力部は、前記盛り上がり検出部の検出結果に基づいて、前記映像コンテンツの記録部で記録する前記第２の映像コンテンツの盛り上がりを前記モニタ装置を介してユーザーに通知すれば、映像コンテンツの記録部で記録される第２の映像コンテンツは、記録時に盛り上がりが検出され、この盛り上がりがモニタ装置を介してユーザーに通知される。これによりユーザーが必要に応じて表示を切り換える等によりこの裏番組の盛り上がった場面を、その場で確認することができる。
【００１２】
これにより請求項１０、請求項１１、請求項１２の構成によれば、裏番組の盛り上がった場面を、その場で確認することができるコンテンツ提供方法、コンテンツ提供方法のプログラム、コンテンツ提供方法のプログラムを記録した記録媒体を提供することができる。
【発明の効果】
【００１３】
本発明によれば、裏番組の盛り上がった場面を、その場で確認することができる。
【発明を実施するための最良の形態】
【００１４】
以下、適宜図面を参照しながら本発明の実施例を詳述する。
【実施例１】
【００１５】
（１）実施例の構成
図２は、本発明の実施例１に係るハードディスクレコーダの構成を示すブロック図であし、図３は、その機能ブロック図である。このハードディスクレコーダ１は、テレビジョン放送により提供される映像コンテンツを記録してユーザーに提供する。
【００１６】
すなわちハードディスクレコーダ１において、放送受信部２Ａ及び２Ｂは、同一構成により構成され、中央処理ユニット（ＣＰＵ：Central Processing Unit ）３の制御によりそれぞれテレビジョン放送による映像コンテンツを受信してビデオデータ及びオーディオデータを出力する。
【００１７】
すなわちこの放送受信部２Ａ及び２Ｂにおいて、チューナー４は、アンテナ５で受信される各種放送波によりユーザーの所望する放送波を選局して受信し、その受信結果による中間周波信号を出力する。復調器６は、チューナー４による中間周波信号を復調してトランスポートストリームを出力する。ＴＳデコーダ７は、復調器６から出力されるトランスポートストリームをＲＡＭ（Random Access Memory）８に一時格納して処理することにより、映像コンテンツによるビデオデータ及びオーディオデータをこのトランスポートストリームより選択してバスＢＵＳ、ＡＶデコーダ８に出力する。これらにより放送受信部２Ａ及び２Ｂは、それぞれユーザーにより指示されたテレビジョン放送による映像コンテンツを受信し、記録用に、この映像コンテンツのビデオデータ及びオーディオデータをバスＢＵＳに出力し、またモニタ用、後述する盛り上がり検出用に、この映像コンテンツのビデオデータ及びオーディオデータをデコード部９に出力する。
【００１８】
デコード部９Ａ及び９Ｂは、同一に構成され、それぞれ中央処理ユニット３の制御によりバスＢＵＳから出力されるビデオデータ及びオーディオデータ、又は放送受信部２Ａ及び２Ｂから出力されるビデオデータ及びオーディオデータをデータ伸長して、バスＢＵＳ、出力部１４に出力する。
【００１９】
すなわちデコード部９Ａ及び９Ｂにおいて、ＡＶデコーダ１０は、バスＢＵＳから出力されるビデオデータ及びオーディオデータ、放送受信部２Ａ及び２Ｂから出力されるビデオデータ及びオーディオデータをＲＡＭ１２に一時格納してデータ伸長し、その処理結果によるビデオデータ及びオーディオデータを出力する。これによりデコード部９Ａ及び９Ｂは、それぞれハードディスク装置（ＨＤＤ）１３に記録する映像コンテンツの盛り上がり検出用のオーディオデータを復号してバスＢＵＳに出力し、またハードディスク装置１３から再生した映像コンテンツ、放送受信部２で受信された映像コンテンツのモニタ用のビデオデータ及びオーディオデータを復号して出力部１４に出力する。
【００２０】
出力部１４は、中央処理ユニット３の制御により、このデコード部９Ａ及び９Ｂから出力されるモニタ用のビデオデータ及びオーディオデータに、ユーザーに提供する各種の情報に係るビデオデータ及びオーディオデータをミキシングして出力する。またデコード部９Ａ及び９Ｂから出力される２系統のモニタ用のビデオデータを合成して出力し、これによりこのハードディスクレコーダ１は、後述するように、メイン画面とサブ画面とにより２つの映像コンテンツの映像を表示できるように構成される。
【００２１】
すなわち出力部１４において、ミクサ１５は、デコード部９Ａ又は９Ｂから出力されるオーディオデータに、バスＢＵＳから出力されるオーディオデータをミキシングして出力し、これにより再生結果、モニタ用の映像コンテンツによる音声に、各種警告音等を重畳して出力する。表示コントローラ１６は、バスＢＵＳから出力される画像データによりメニュー等に係るＯＳＤ（On Screen Display ）用のビデオデータを生成して出力する。画像処理部１７は、デコード部９Ａ又は９Ｂから出力されるビデオデータに、表示コントローラ１６から出力されるビデオデータをミキシングして出力し、これにより再生結果、モニタ用の映像コンテンツによる映像に、各種アイコン等を重畳する。またこの処理に加えて、又はこの処理に代えて、デコード部９Ａ及び９Ｂから出力される２系統によるビデオデータを処理して合成し、これによりメイン画面及びサブ画面によるマルチ画面によりこれらビデオデータによる映像を表示する。
【００２２】
このハードディスクレコーダ１は、この出力部１４から出力されるビデオデータ及びオーディオデータをモニタ装置１９に出力し、このモニタ装置１９に設けられたスピーカ２０、表示装置２１によりこれらオーディオデータ及びビデオデータの音声及び映像をユーザーに提供する。
【００２３】
ハードディスクインターフェース（ハードディスクＩ／Ｆ）２２は、中央処理ユニット３の制御により、バスＢＵＳに出力されるビデオデータ、オーディオデータ、関連するデータをハードディスク装置１３に出力し、これによりこれらのデータをハードディスク装置１３に記録する。また同様の中央処理ユニット３の制御により、ハードディスク装置１３に記録したデータを再生してバスＢＵＳに出力する。これらによりこのハードディスクレコーダ１では、放送受信部２Ａ、２Ｂで受信した映像コンテンツ等によるビデオデータ及びオーディオデータをハードディスク装置１３に記録して保持し、またこの記録して保持した映像コンテンツを再生してデコード部９によりデコードした後、出力部１４を介してモニタ装置１９に出力する。
【００２４】
これらによりこのハードディスクレコーダ１では（図３）、ハードディスクインターフェース２２により、放送受信部２Ａ又は２Ｂで受信した映像コンテンツをハードディスク装置１３に記録する録画部２３の機能ブロックが構成され、またデコード部９Ａ及び９Ｂ、ハードディスクインターフェース２２により、ハードディスク装置１３に記録した映像コンテンツを再生する再生部２４の機能ブロックが構成される。またハードディスク装置１３により映像コンテンツを記録して保持するコンテンツ蓄積部２５の機能ブロックが構成される。
【００２５】
カードインターフェース（カードＩ／Ｆ）２６は、カードスロット２７に装着されるメモリカード２８と、バスＢＵＳとの間のインターフェースであり、バスＢＵＳに出力される各種のデータを中央処理ユニット３の制御によりメモリカード２８に記録し、またメモリカード２８に記録した各種のデータをバスＢＵＳに出力する。
【００２６】
インターフェース（Ｉ／Ｆ）２９は、例えばＩＥＥＥ（Institute of Electrical and Electronics Engineers ）１３９４によるインターフェースであり、このハードディスクレコーダ１に接続されたビデオカメラ３０からのビデオデータ及びオーディオデータをバスＢＵＳに出力する。これによりこのハードディスクレコーダ１では、テレビジョン放送による映像コンテンツに加えて、ユーザーが自分で撮影した映像コンテンツについても、直接に又はハードディスク装置１３を介して、モニタ装置１９によりモニタできるように構成され、さらにはテレビジョン放送による映像コンテンツと同様に処理できるように構成される。
【００２７】
ＳＩＯ（Serial I/O）コントローラ３２は、中央処理ユニット３の制御によりモデム３３の動作を制御してインターネット３４に接続し、このインターネット３４上に設けられたＷｅｂサーバ３５から電子番組表（ＥＰＧ：Electronic Program Guide）の情報、各種映像コンテンツを取得してバスＢＵＳに出力する。これによりこのハードディスクレコーダ１では、インターネット３４より取得した映像コンテンツについても記録して保持し、モニタ装置１９によりユーザーに提供するように構成される。
【００２８】
Ｕ／Ｉ制御部３６は、リモートコマンダからの遠隔制御信号を受信して中央処理ユニット３に通知する。
【００２９】
中央処理ユニット３は、このハードディスクレコーダ１の動作を制御するコントローラであり、ＲＡＭ３７にワークエリアを確保してＲＯＭ（Read Only Memory）３８に記録されたプログラムを実行することにより、各部の動作を制御する。なおこれによりこの実施例において、この中央処理ユニット３の処理に係るプログラムは、このハードディスクレコーダ１に事前にインストールされて提供されるものの、このような事前のインストールによる提供に代えて、光ディスク、磁気ディスク、メモリカード等の各種記録媒体に記録して提供するようにしてもよく、またインターネット等のネットワークを介したダウンロードにより提供するようにしてもよい。
【００３０】
中央処理ユニット３は、このプログラムの実行により、ユーザーにより映像コンテンツの録画が指示されると、放送受信部２Ａ又は２Ｂによりユーザーにより指示されたテレビジョン放送を受信して映像コンテンツを取得し、さらにはビデオカメラ３０、インターネット３４より映像コンテンツを取得し、この取得した映像コンテンツをハードディスク装置１３に記録する。またユーザーによりタイマー録画の設定を受け付け、放送受信部２Ａ又は２Ｂによりテレビジョン放送による映像コンテンツをタイマー録画する。
【００３１】
この一連の記録の処理において、中央処理ユニット３は、ＴＳデコーダ７、インターフェース２９、ＳＩＯコントローラ３２から得られるビデオデータ及びオーディオデータをバスＢＵＳに入力してハードディスク装置１３に記録する。またこのとき放送受信部２Ａ又は２ＢからＡＶデコーダ１０にオーディオデータを出力してデータ伸長し、又はバスＢＵＳからＡＶデコーダ１０にオーディオデータを出力してデータ伸長し、その処理結果によるオーディオデータを盛り上がり検出用に順次取得する。
【００３２】
中央処理ユニット３は、この盛り上がり検出用のオーディオデータの処理により、ハードディスク装置１３に記録する映像コンテンツの盛り上がりの場面を検出し、この盛り上がりの場面の位置情報をハードディスク装置１３に記録する。
【００３３】
これにより中央処理ユニット３は（図３）、ＡＶデコーダ１０と共に、ハードディスク装置１３に記録する映像コンテンツの盛り上がり場面を検出する盛り上がり検出部４０を構成し、ハードディスク装置１３は、盛り上がり検出部４０による検出結果である盛り上がりの場面の位置情報を記録して保持する盛り上がり位置情報保持部４１を構成する。
【００３４】
ここで例えばサッカー中継の番組において、盛り上がった場面では、観客が歓声を上げ、この場合には、オーディオ信号の信号レベルが大きくなる。また周波数スペクトラムの分布も変化し、盛り上がった場面では、オーディオ信号のスペクトラムがそれまでより広い範囲に分布するようになる。またこのような信号レベルの変化、周波数スペクトラムの変化は、サッカー中継の番組以外の種々の番組でも同様のことが言える。
【００３５】
これにより中央処理ユニット３は、ハードディスク装置１３に記録する映像コンテンツについて、ＡＶデコーダ１０によりデコードして得られるオーディオデータの信号レベル、周波数スペクトラムにより、盛り上がりの程度を示す盛り上がり度を検出し、この盛り上がり度の判定により盛り上がりの場面を検出する。
【００３６】
すなわち中央処理ユニット３は、映像コンテンツのオーディオデータを一定の時間間隔により区切り、各区切り毎に、オーディオデータの信号レベルの平均値を検出し、この平均値が増大するに従って値が大きくなる信号レベルによる盛り上がり度を検出する。また各区切り毎に、例えば高速フーリエ変換処理によりオーディオデータを周波数解析し、一定レベル以上の周波数スペクトラムが分布する範囲に応じて値が大きくなる周波数スペクトラムによる盛り上がり度を検出する。なおこの区切りにあっては、ビデオデータにおけるフレーム周期、フィールド周期、水平走査期間等に設定することができる。
【００３７】
中央処理ユニット３は、この信号レベルによる盛り上がり度と周波数スペクトラムによる盛り上がり度とを重み付け加算し、これにより盛り上がり度を検出する。なお実用上充分に盛り上がり度を検出することができる場合には、信号レベルによる盛り上がり度、周波数スペクトラムによる盛り上がり度の何れかだけを適用するようにしても良く、またさにはこれらに加えて、又はこれらに代えて、映像及び音声の特徴を表す種々のパラメータを適用することができる。
【００３８】
中央処理ユニット３は、このようにして検出した盛り上がり度を一定のしきい値により判定し、これにより盛り上がりの場面を検出する。中央処理ユニット３は、この一定のしきい値より盛り上がり度が立ち上がっている期間の開始の時点について、対応する映像コンテンツにおける位置情報を盛り上がり情報としてハードディスク装置１３に記録する。なおここでこの位置情報には、例えば映像コンテンツのタイムコードが適用される。これによりこの実施例においては、ハードディスク装置１３に記録された映像コンテンツ毎に、盛り上がった場面の開始位置を示す盛り上がり情報がリストの形式により記録される。以下、このリストを盛り上がり情報リストと呼ぶ。
【００３９】
これに対して中央処理ユニット３は、テレビジョン放送の視聴がユーザーにより指示されると、放送受信部２Ａ又は２Ｂによりユーザーにより指示されたテレビジョン放送による映像コンテンツを受信し、この受信した映像コンテンツをデコード部９Ａ又は９Ｂによりデコードした後、その結果得られるビデオデータ及びオーディオデータを出力部１４からモニタ装置１９に出力する。これにより中央処理ユニット３は、ユーザーの所望するテレビジョン放送による番組をモニタ装置１９によりユーザーに提供する。またこれに代えて、インターネット３４より取得される映像コンテンツ、ビデオカメラ３０による映像コンテンツの視聴をユーザーが指示すると、ＳＩＯコントローラ３２又はインターフェース２９の制御によりユーザーにより指示された映像コンテンツを取得してバスＢＵＳよりデコード部９Ａ又は９Ｂに出力し、ここでデコードした後、出力部１４を介してモニタ装置１９に出力する。
【００４０】
また同様にして、ハードディスク装置１３に記録された映像コンテンツの再生がユーザーにより指示されると、ハードディスク装置１３に記録された対応するビデオデータ及びオーディオデータを再生してバスＢＵＳよりデコード部９Ａ又は９Ｂに出力し、ここでデコードした後、出力部１４を介してモニタ装置１９に出力する。
【００４１】
またこれらテレビジョン放送、インターネット等により映像コンテンツを表示した状態で、さらにはハードディスク装置に記録された映像コンテンツを再生してユーザーに提供している状態で、他のテレビジョン放送、他のソースによる映像コンテンツの記録が指示されると、いわゆる裏録画により、これら映像コンテンツをハードディスク装置１３により記録する。
【００４２】
これに対して所望する映像コンテンツをモニタ装置１９によりユーザーに提供している状態で、ユーザーにより映像コンテンツのマルチ画面表示が指示されると、画像処理部１７の制御により、図４に示すように、モニタ装置１９の表示画面をマルチ画面表示に切り換える。ここでこの実施例では、このマルチ画面表示が、モニタ装置１９の表示画面の殆どを占めるメイン画面Ｍと、このメイン画面Ｍの下側の、メイン画面Ｍより表示領域の小さなサブ画面Ｓとにより形成され、メイン画面Ｍにそれまで視聴していた映像コンテンツの映像を表示する。またさらにサブ画面Ｓに、別途、ユーザーの指示した映像コンテンツを表示する。
【００４３】
これによりこのハードディスクレコーダ１では、ユーザーの所望する映像コンテンツをモニタ装置１９により提供しながら、例えばハードディスク装置１３で記録中の各種映像コンテンツ、裏番組をサブ画面により確認できるようにする。
【００４４】
中央処理ユニット３は、このようにメイン画面Ｍとサブ画面Ｓとにより２種類の映像コンテンツをユーザーに提供するようにして、メイン画面Ｍにより提供する映像コンテンツが、現在放送中のテレビジョン放送による映像コンテンツ、インターネット３４より取得される映像コンテンツ、又はビデオカメラ３０から取得される映像コンテンツであって、サブ画面Ｓにより提供する映像コンテンツがハードディスク装置１３で記録中の映像コンテンツであり、かつユーザーが盛り上がり表示モードを選択している場合、ハードディスク装置１３で記録中の映像コンテンツの盛り上がり場面をモニタ装置１９を介してユーザーに通知する。
【００４５】
すなわちこの場合、中央処理ユニット３は、ハードディスク装置１３に映像コンテンツを記録しながら、このハードディスク装置１３に記録した映像コンテンツを再生してサブ画面Ｓにより表示するように全体の動作を制御する。これにより中央処理ユニット３は、サブ画面Ｓにより提供する映像コンテンツについては、一定時間だけタイムシフトさせてユーザーに提供し、このタイムシフトによるハードディスク装置１３に映像コンテンツを記録した後、再生するまでの時間差により、上述した盛り上がり度による盛り上がりの場面の検出に要する時間を確保し、さらには盛り上がり検出部４０で遷移時間ｔｔの分だけ先行して、盛り上がりの場面を検出する。
【００４６】
またこのようにして中央処理ユニット３は、図１の処理手順の実行により、ハードディスク装置１３で記録している映像コンテンツの盛り上がりに応じてモニタ装置１９の表示を切り換える。
【００４７】
すなわち中央処理ユニット３は、この処理手順を開始すると、ステップＳＰ１からステップＳＰ２に移り、サブ画面Ｓによりユーザーに提供する映像コンテンツの再生を開始する。また続くステップＳＰ３において、盛り上がり検出部４０で検出される盛り上がりの場面の検出結果より、このサブ画面Ｓにより提供する映像コンテンツが、盛り上がりの場面の開始位置の遷移時間ｔｔ前になったか否か判断する。
【００４８】
ここで中央処理ユニット３は、事前に、複数の候補より、このステップＳＰ３に係る遷移時間の選択を受け付け、この実施例では、この複数の候補が例えば３秒前、５秒前、１０秒前、１５秒前に設定される。これにより中央処理ユニット３は、現在の再生個所が盛り上がりの場面のはるか手前である場合には、ステップＳＰ３で否定結果が得られ、ステップＳＰ３からステップＳＰ４に移る。
【００４９】
ここで中央処理ユニット３は、サブ画面Ｓに係る映像コンテンツの記録が終了したか否か判断し、ここで否定結果が得られると、ステップＳＰ４からステップＳＰ３に戻る。これに対してステップＳＰ４で肯定結果が得られると、ステップＳＰ４からステップＳＰ５に移ってこの処理手順を終了する。
【００５０】
これにより中央処理ユニット３は、盛り上がりの場面の遷移時間の分だけ手前の位置を再生するまでの間、ステップＳＰ３−ＳＰ４−ＳＰ３の処理を繰り返し、盛り上がりの場面の遷移時間の分だけ手前の位置まで映像コンテンツを再生すると、ステップＳＰ３で肯定結果が得られることにより、ステップＳＰ３からステップＳＰ６に移る。
【００５１】
ここで中央処理ユニット３は、画像処理部１７の制御により、メイン画面Ｍとサブ画面Ｓとの表示を切り換える。これにより図５に示すように、中央処理ユニット３は、ハードディスク装置１３によりタイムシフトして再生してサブ画面Ｓにより表示している映像コンテンツについて、この映像コンテンツの盛り上がりの場面が時点ｔ０より開始している場合、この時点ｔ０より遷移時間ｔｔの分だけ手前となると、矢印により示すように、メイン画面Ｍの表示とサブ画面Ｓとの表示を入れ換える。これにより中央処理ユニット３は、裏録している映像コンテンツについて、盛り上がった場面をユーザーに通知し、この盛り上がった場面をその場で間違いなく確認することができるようにする。
【００５２】
しかして中央処理ユニット３は、このようにして表示を切り換えると、ステップＳＰ６からステップＳＰ７に移り、ここでこのメイン画面Ｍに表示を切り換えた映像コンテンツについて、盛り上がりの場面が経過したか否か判断し、ここで否定結果が得られると、ステップＳＰ７を繰り返す。これに対してステップＳＰ７で肯定結果が得られると、ステップＳＰ７からステップＳＰ８に移り、メイン画面Ｍ及びサブ画面Ｓの表示を元に戻した後、ステップＳＰ３に戻る。
【００５３】
なお中央処理ユニット３は、ユーザーによる設定に応じて、このような表示の切り換えに連動させて、モニタ装置１９に出力するオーディオデータについても、これら映像コンテンツで切り換える。
【００５４】
これに対してメイン画面Ｍとサブ画面Ｓとにより２種類の映像コンテンツをユーザーに提供するようにして、ユーザーが盛り上がり表示モードを選択して、メイン画面Ｍにより現在放送中のテレビジョン放送による映像コンテンツ、インターネット３４より取得される映像コンテンツ、又はビデオカメラから取得される映像コンテンツの表示を指示し、またサブ画面Ｓによりハードディスク装置１３に記録した映像コンテンツの再生を指示した場合、記録時に盛り上がり情報リストにより記録した盛り上がり情報に基づいて、図１及び図５について上述したと同様にして、メイン画面Ｍ及びサブ画面Ｓの表示、さらにはオーディオデータを切り換え、これによりこの場合も、盛り上がりの場面を見逃すことがないようにする。
【００５５】
これに対してメイン画面Ｍ及びサブ画面Ｓに表示する映像コンテンツの双方が、ハードディスク装置１３に記録された映像コンテンツの場合、中央処理ユニット３は、図１の処理手順に代えて、図６の処理手順の実行により、メイン画面Ｍ及びサブ画面Ｓの表示を切り換える。
【００５６】
すなわちこの場合、中央処理ユニット３は、メイン画面Ｍにより提供する映像コンテンツの再生を開始した後、ステップＳＰ１１からステップＳＰ１２に移り、サブ画面Ｓによりユーザーに提供する映像コンテンツの再生を開始する。また続くステップＳＰ１３において、盛り上がり情報リストの記録より、このサブ画面Ｓにより提供する映像コンテンツが、盛り上がりの場面の開始位置の遷移時間前になったか否か判断する。
【００５７】
ここで否定結果が得られると、中央処理ユニット３は、ステップＳＰ１３からステップＳＰ１４に移り、サブ画面Ｓに係る映像コンテンツの再生が終了したか否か判断し、ここで否定結果が得られると、ステップＳＰ１４からステップＳＰ１３に戻る。これに対してステップＳＰ１４で肯定結果が得られると、ステップＳＰ１４からステップＳＰ１５に移ってこの処理手順を終了する。
【００５８】
これにより中央処理ユニット３は、盛り上がりの場面の手前、遷移時間の位置を再生するまでの間、ステップＳＰ１３−ＳＰ１４−ＳＰ１３の処理を繰り返し、盛り上がりの場面の手前、一定時間の位置までサブ画面Ｓに係る映像コンテンツを再生すると、ステップＳＰ１３で肯定結果が得られることにより、ステップＳＰ１３からステップＳＰ１６に移る。
【００５９】
ここで中央処理ユニット３は、図５について上述したと同様にして、メイン画面Ｍとサブ画面Ｓとの表示を切り換える。またユーザーによる設定に応じて、表示の切り換えに連動するように、モニタ装置１９に出力するオーディオデータをこれら映像コンテンツで切り換える。
【００６０】
続いて中央処理ユニット３は、ステップＳＰ１７に移り、ここでこのメイン画面Ｍに表示を切り換えた映像コンテンツについて、盛り上がりの場面が経過したか否か判断し、ここで否定結果が得られると、ステップＳＰ１７を繰り返す。これに対してステップＳＰ１７で肯定結果が得られると、ステップＳＰ１７からステップＳＰ１８に移る。ここで中央処理ユニット３は、盛り上がり情報の処理対象を、この新たにサブ画面Ｓに割り当てた映像コンテンツに切り換え、ステップＳＰ１３に戻る。
【００６１】
これによりこの場合、中央処理ユニット３は、ハードディスク装置１３に記録した２つの映像コンテンツをメイン画面Ｍ及びサブ画面Ｓによりユーザーに提供するようにして、サブ画面に割り当てた映像コンテンツの側が盛り上がりの場面となる毎に、メイン画面Ｍとサブ画面Ｓとの表示を切り換える。
【００６２】
これらによりこの実施例において、中央処理ユニット３は、盛り上がり情報により出力部１４の動作を制御して、モニタ装置１９で表示する２つの映像コンテンツの表示を切り換える盛り上がり情報処理部４２を構成する。
【００６３】
（２）実施例の構成
以上の構成において、このハードディスクレコーダ１では（図２及び図３）、テレビジョン放送による映像コンテンツが放送受信部２Ａ又は２Ｂで受信され、その受信結果によるビデオデータ及びオーディオデータがデコード部９Ａ又は９Ｂによりデコードされた後、出力部１４を介してモニタ装置１９に出力され、これによりテレビジョン放送による映像コンテンツを鑑賞することができる。またＷｅｂサーバ３５から取得された映像コンテンツ、ビデオカメラ３０から取得された映像コンテンツによるビデオデータ及びオーディオデータが、バスＢＵＳを介してデコード部９Ａ又は９Ｂに入力され、ここでデコードされた後、出力部１４を介してモニタ装置１９に出力され、これによりインターネット３４、ビデオカメラ３０による映像コンテンツを鑑賞することができる。
【００６４】
これに対してこのような映像コンテンツの記録が指示されると、放送受信部２Ａ又は２Ｂで受信された映像コンテンツ、Ｗｅｂサーバ３５による映像コンテンツ、ビデオカメラ３０による映像コンテンツがバスＢＵＳを介してハードディスク装置１３に記録される。
【００６５】
またハードディスク装置１３に記録した映像コンテンツの再生が指示されると、ハードディスク装置１３より対応するビデオデータ及びオーディオデータが順次再生されて、デコード部９Ａ又は９Ｂによりデコードされた後、出力部１４を介してモニタ装置１９に出力され、これによりハードディスク装置１３に記録した映像コンテンツを鑑賞することができる。
【００６６】
このハードディスクレコーダ１では、このように各種映像コンテンツをユーザーに提供するようにして、いわゆる裏録することができるように構成され、また放送受信部２Ａ及び２Ｂ、デコード部９Ａ及び９Ｂがそれぞれ２系統設けられ、これにより例えばテレビジョン放送による映像コンテンツをユーザーに提供しながら、裏番組を録画することができる。
【００６７】
またユーザーによりマルチ画面表示が指示されると、処理に供している映像コンテンツがメイン画面及びサブ画面によるマルチ画面表示によりユーザーに提供される（図４）。これによりこのハードディスクレコーダ１では、例えば所望するテレビジョン放送の番組による映像コンテンツ、ハードディスク装置１３に記録した映像コンテンツ等をモニタ装置１９のメイン画面Ｍにより楽しみながら、サブ画面Ｓによりハードディスク装置１３に記録中の映像コンテンツ、さらには別途ハードディスク装置１３より再生する映像コンテンツをモニタすることができる。
【００６８】
しかしてこのようにしてメイン画面及びサブ画面により表示する映像コンテンツにあっては、例えば同時に放送されている異なる試合会場のサッカー中継のような場合があり、ユーザーにおいては、その場で、ゴールシーン等の盛り上がった場面を見たい場合がある。
【００６９】
これによりハードディスクレコーダ１では、ハードディスク装置１３に映像コンテンツを記録する際に、この映像コンテンツのオーディオデータがＡＶデコーダ１０によりデータ伸長され、このデータ伸長されたオーディオデータが中央処理ユニット３により解析され、このオーディオデータより盛り上がりの場面が検出される。またこの盛り上がりの場面の開始の時点が、各映像コンテンツ毎の盛り上がり情報リストによりハードディスク装置１３に記録される。
【００７０】
またこのようにして検出される盛り上がり情報により、サブ画面により提供する裏録画の映像コンテンツ、サブ画面により提供するハードディスク装置１３から再生する映像コンテンツの盛り上がりがモニタ装置１９を介してユーザーに提供される。これによりこのハードディスクレコーダ１では、裏番組の盛り上がった場面を、その場で確認することができ、例えばサッカーのゴールシーン等を見逃すことが無いようにすることができる。
【００７１】
この実施例では、このサブ画面により提供する映像コンテンツが裏録画に係る映像コンテンツの場合、一旦ハードディスク装置１３に記録した映像コンテンツを再生してサブ画面Ｓにより表示するようにして、記録時と再生時との時間差により、サブ画面で表示する映像コンテンツより遷移時間の分だけ先立って盛り上がりの場面の開始が検出される。またこれにより記録時における盛り上がり検出結果より、盛り上がりの場面の開始が検出されると、盛り上がりの場面の開始から遷移時間の分だけ逆上った個所から、メイン画面とサブ画面の表示の切り換えにより、盛り上がった場面がユーザーに通知される。これによりユーザーは、例えばゴール前の緊迫した状況から裏番組の盛り上がりを視聴することができ、また確実に盛り上がりの場面を視聴することができる。
【００７２】
これに対してサブ画面により提供する映像コンテンツが、ハードディスク装置１３に記録した映像コンテンツを改めて再生するものの場合、このハードディスクレコーダ１では、記録時に記録した盛り上がり情報リストにより、同様にして、盛り上がりの場面の開始から遷移時間の分だけ逆上った個所から、メイン画面とサブ画面の表示の切り換えにより、盛り上がった場面がユーザーに通知される。これによりユーザーは、例えばゴール前の緊迫した状況から裏番組の盛り上がりを視聴することができ、また確実に盛り上がりの場面を視聴することができる。
【００７３】
ハードディスクレコーダ１では、これらの場合、サブ画面側の映像コンテンツについて、盛り上がりの場面が終了すると、元のメイン画面とサブ画面の表示に戻り、これによりユーザーが引き続いてメイン画面により所望する映像コンテンツを鑑賞することができる。
【００７４】
これに対してハードディスク装置１３に記録した映像コンテンツを再生してメイン画面により提供する場合であって、サブ画面により提供する映像コンテンツが裏録画のモニタの場合、さらにはハードディスク装置１３に記録した映像コンテンツを、改めて再生するものの場合、同様にして、サブ画面側の盛り上がりにより、メイン画面とサブ画面との表示が切り換えられる。またこの場合は、これによりサブ画面に表示が切り換えられた映像コンテンツが盛り上がりの場面を迎えると、元のメイン画面とサブ画面との表示に切り換えられる。
【００７５】
これによりこの場合、例えば長期の出張により取り溜めた多数のサッカー番組を視聴する場合等に、ゴールシーン等の盛り上がった場面を見逃すことなく、これら取り溜めた多数の番組をまとめて鑑賞することができる。
（３）実施例の効果
以上の構成によれば、裏番組により記録する映像コンテンツの盛り上がりを検出してユーザーに通知することにより、裏番組の盛り上がった場面を、その場で確認することができる。
【００７６】
またメイン画面とサブ画面とにより映像コンテンツを表示するようにして、盛り上がった場面でメイン画面とサブ画面との表示を切り換え、これにより裏番組により記録する映像コンテンツの盛り上がりを検出してユーザーに通知することにより、サブ画面により裏録画する番組をモニタするようにして、裏番組の盛り上がった場面を、その場で確認することができる。
【００７７】
またこのとき盛り上がりの場面より一定時間だけ逆上った場面より表示を切り換えることにより、盛り上がった場面を見逃さないようにすることができる。
【実施例２】
【００７８】
図７は、図５との対比により本発明の実施例２に係るハードディスクレコーダの表示の切り換えを示す略線図である。このハードディスクレコーダは、盛り上がりの開始の時点ｔ０からメイン画面Ｍ及びサブ画面Ｓの表示を切り換える。
【００７９】
これによりこの実施例では、遷移時間を確保する必要が無いことにより、ハードディスク装置１３に記録する映像コンテンツのサブ画面の表示に関して、サブ画面Ｓにより表示する映像コンテンツのハードディスク装置１３からの再生を中止し、ハードディスク装置１３に記録する映像コンテンツをサブ画面Ｓにより表示する。これによりこのハードディスクレコーダでは、ハードディスク装置１３に係る構成を簡略化する。
【００８０】
またこれによりハードディスク装置１３の記録、再生に係る映像コンテンツだけでなく、放送受信部２Ａ及び２Ｂにより受信されるテレビジョン放送による２つの映像コンテンツをメイン画面、サブ画面により表示する場合にも、盛り上がりを検出して表示を切り換える。
【００８１】
この実施例によれば、遷移時間を省略して盛り上がりの検出によりメイン画面とサブ画面との表示を切り換えることにより、簡易な構成により裏番組の盛り上がった場面を、その場で確認することができる。
【実施例３】
【００８２】
図８は、図５との対比により本発明の実施例３に係るハードディスクレコーダの表示の切り換えを示す略線図である。このハードディスクレコーダは、マルチ画面表示を中止し、裏録画している映像コンテンツＣ１を、この映像コンテンツＣ１が盛り上がった場合にだけ、遷移時間ｔｔを含めて表示する。またこのとき、横方向のワイプにより、表示を切り換える。
【００８３】
この実施例のように、裏録画している映像コンテンツを、この映像コンテンツが盛り上がった場合にだけ、遷移時間ｔｔを含めて表示することにより、裏番組により記録する映像コンテンツの盛り上がりを検出してユーザーに通知するようにしても、実施例１と同様の効果を得ることができる。
【００８４】
またこのとき横方向のワイプにより、表示を切り換えることにより、ユーザーにおいては、表示の切り換えを確認することができる。
【実施例４】
【００８５】
図９は、図８との対比により本発明の実施例４に係るハードディスクレコーダの表示の切り換えを示す略線図である。このハードディスクレコーダは、横方向のワイプに代えて、縦方向のワイプにより、映像コンテンツＣ１及びＣ２の表示を切り換える。
【００８６】
この実施例のように縦方向のワイプにより映像コンテンツＣ１及びＣ２の表示を切り換えるようにしても、実施例３と同様の効果を得ることができる。
【実施例５】
【００８７】
図１０は、図５との対比により本発明の実施例５に係るハードディスクレコーダの表示の切り換えを示す略線図である。このハードディスクレコーダは、メイン画面及びサブ画面の表示に代えて、親画面及び子画面により映像コンテンツＣ１及びＣ２を表示する。また裏録画している映像コンテンツＣ１の盛り上がりにより、遷移時間ｔｔで子画面に係るこの映像コンテンツＣ１の画角を徐々に拡大し、盛り上がりの場面で、全画面により表示する。また盛り上がりの終了により、徐々に画角を縮小して元の表示に戻す。
【００８８】
この実施例のように、画角の変化により表示を切り換えて、裏番組により記録する映像コンテンツの盛り上がりを検出してユーザーに通知するようにしても、実施例１と同様の効果を得ることができる。
【００８９】
なおこの場合、図１０との対比により図１１に示すように、遷移時間を省略して、一気に画角を切り換えるようにしてもよい。
【実施例６】
【００９０】
図１２は、図５との対比により本発明の実施例６に係るハードディスクレコーダの表示の切り換えを示す略線図である。このハードディスクレコーダは、マルチ画面表示を中止し、裏録画している映像コンテンツＣ１を、この映像コンテンツＣ１が盛り上がった場合にだけ、遷移時間ｔｔを含めて表示する。
【００９１】
また盛り上がった場面で、裏録画に係る映像コンテンツＣ１を子画面表示するようにし、遷移期間ｔｔにおける縦方向のワイプによりこの子画面表示に表示を切り換え、また盛り上がった場面の終了により、縦方向にワイプして映像コンテンツＣ１の表示を終了する。
【００９２】
この実施例のように、盛り上がった場面で子画面表示するようにして、裏番組により記録する映像コンテンツの盛り上がりを検出してユーザーに通知するようにしても、実施例１と同様の効果を得ることができる。
【実施例７】
【００９３】
図１３は、図３との対比により本発明の実施例７に係るハードディスクレコーダの構成を示す機能ブロック図である。このハードディスクレコーダ５１は、上述の実施例について上述した構成に加えて、ハードディスク装置１３によりクローズドキャプション蓄積部６３が構成される。この実施例に係るハードディスクレコーダ５１は、このクローズドキャプション蓄積部６３に関連する構成が異なる点を除いて、実施例１〜６について上述したハードディスクレコーダと同一に構成される。
【００９４】
ここでこのハードディスクレコーダ５１において、放送受信部２Ａ、２Ｂは、ＴＳデコーダ７によりクローズドキャプションに係るデータを取得して中央処理ユニット３に通知し、中央処理ユニット３は、このクローズドキャプションに係るデータをハードディスク装置１３に記録し、これによりハードディスク装置１３にクローズドキャプション蓄積部６３を構成する。これよりこの実施例のハードディスクレコーダ５１は、テレビジョン放送による映像コンテンツについては、ユーザーによる指示によりクローズドキャプションによる文字情報を表示できるように構成される。
【００９５】
すなわち中央処理ユニット３は、ユーザーにより文字表示が指示されると、ＴＳデコーダ７により取得されるクローズドキャプションに係るデータにより表示コントローラ１６、画像処理部１７を制御し、これによりモニタ用のビデオデータの映像に、クローズドキャプションによる文字情報を重畳して表示する。また同様のユーザーによる指示により、クローズドキャプション蓄積部６３に蓄積したクローズドキャプションに係るデータにより表示コントローラ１６、画像処理部１７を制御し、これによりハードディスク装置１３より再生される映像コンテンツの映像、さらには裏録画によりハードディスク装置１３に記録する映像コンテンツの映像に、クローズドキャプションによる文字情報を重畳して表示する。
【００９６】
この実施例では、図１４に示すように、裏録画によりハードディスク装置１３に記録する映像コンテンツについての盛り上がりを、このクローズドキャプションによる文字情報により表示する。またこのようにクローズドキャプションによる文字情報により裏録画の映像コンテンツＣ１についての盛り上がりを通知するようにし、ユーザーにより表示の切り換えが指示されると、この文字表示を開始した時点である、遷移時間ｔｔを含めた盛り上がりの場面をハードディスク装置１３から録画中の映像コンテンツを再生してモニタ装置１９により表示する。
【００９７】
この実施例のようにクローズドキャプションによる文字情報により裏番組により記録する映像コンテンツの盛り上がりを検出してユーザーに通知するようにしても、上述の実施例と同様の効果を得ることができる。
【実施例８】
【００９８】
なお上述の実施例においては、裏番組により記録する映像コンテンツに係る映像、文字情報によりこの映像コンテンツの盛り上がりを通知する場合について述べたが、本発明はこれに限らず、アイコン、マークの表示、警告音の出力等により通知する場合等、種々の通知方法を広く適用することができる。
【００９９】
また上述の実施例においては、ディジタル放送によるテレビジョン放送の映像コンテンツを記録再生する場合について述べたが、本発明はこれに限らず、アナログ放送による映像コンテンツを記録再生する場合にも広く適用することができる。
【０１００】
また上述の実施例においては、本発明をハードディスクレコーダに適用する場合について述べたが、本発明はこれに限らず、光ディスク、磁気テープ、メモリカード等を使用した種々の映像コンテンツの記録再生装置に広く適用することができる。
【産業上の利用可能性】
【０１０１】
本発明は、例えばハードディスク装置を用いてテレビジョン放送を記録再生するハードディスクレコーダに適用することができる。
【図面の簡単な説明】
【０１０２】
【図１】本発明の実施例１に係るハードディスクレコーダにおける中央処理ユニットの処理手順を示すフローチャートである。
【図２】本発明の実施例１に係るハードディスクレコーダを示すブロック図である。
【図３】図２のハードディスクレコーダの機能ブロック図である。
【図４】図２のハードディスクレコーダにおけるマルチ画面表示を示す平面図である。
【図５】図１の処理手順による表示の切り換えを示す略線図である。
【図６】図１とは異なる例による中央処理ユニットの処理手順を示すフローチャートである。
【図７】本発明の実施例２に係るハードディスクレコーダの表示の切り換えを示す略線図である。
【図８】本発明の実施例３に係るハードディスクレコーダの表示の切り換えを示す略線図である。
【図９】本発明の実施例４に係るハードディスクレコーダの表示の切り換えを示す略線図である。
【図１０】本発明の実施例５に係るハードディスクレコーダの表示の切り換えを示す略線図である。
【図１１】図１０の例とは異なる例による表示の切り換えを示す略線図である。
【図１２】本発明の実施例７に係るハードディスクレコーダの表示の切り換えを示す略線図である。
【図１３】本発明の実施例７に係るハードディスクレコーダを示す機能ブロック図である。
【図１４】図１２のハードディスクレコーダにおける表示の切り換えを示す略線図である。
【符号の説明】
【０１０３】
１、５１……ハードディスクレコーダ、２Ａ、２Ｂ……放送受信部、１３……ハードディスク装置、１４……出力部、１９……モニタ装置、２３……録画部、２５……コンテンツ蓄積部、２４……再生部、４０……盛り上がり検出部、４１……盛り上がり位置情報蓄積部、４２、６２……盛り上がり情報処理部、６３……クローズドキャプション蓄積部
【図１】
2007116567.tif 000003
【図２】
2007116567.tif 000004
【図３】
2007116567.tif 000005
【図４】
2007116567.tif 000006
【図５】
2007116567.tif 000007
【図６】
2007116567.tif 000008
【図７】
2007116567.tif 000009
【図８】
2007116567.tif 000010
【図９】
2007116567.tif 000011
【図１０】
2007116567.tif 000012
【図１１】
2007116567.tif 000013
【図１２】
2007116567.tif 000014
【図１３】
2007116567.tif 000015
【図１４】
2007116567.tif 000016